(57)【要約】【課題】  コの字形に開口する板枠組内に、小動物を同開口側へ前向きに収容し、首輪の曳き綱により同枠組を開口側へ牽引して前進可能とする小動物用運動器具を提供し、小動物の自律的前進運動を促し、運動不足やストレスを解消して健康増進を図ることとする。【解決手段】  コの字状に開口する板枠組に、対象小動物を開口側向きにのみ収容可能とし、小動物の首輪に連結した曳き綱を同枠組の閉塞側に繋留してなり、同枠組内の小動物が、側方への逸脱を阻止され、同開口側への脱出を試行すると、首輪の曳き綱により同枠組を牽引して前進し、小動物が同枠組の閉塞側へ後退すると、垂下する曳き綱及び同閉塞部が小動物の背後部に接触して自律的に前進を促すこととしており、また、長尺部材を平滑な大径の閉曲線状に形成したリングを、随時、床面及び地面上の限られた区画内に布置し、同リング内位に収容した上記構成の小動物用運動器具の行動範囲を限定している。【選択図】図１
0003132737.tif 000002
【実用新案登録請求の範囲】
【請求項１】
コの字状に一端を開口し他端を閉塞する板枠組に、対象小動物を同開口側へ前向きにのみ収容可能とし、小動物に装着した首輪に連結した曳き綱を同枠組の閉塞側に繋留してなり、床面及び地面上において、同枠組内に繋留した対象小動物は、側方への逸脱を阻止されており、開口側へ脱出を試行すると、首輪の曳き綱により同枠組を牽引して前進し、小動物が同枠組の閉塞側へ後退すると、垂下するロープ及び閉塞部が小動物の背後に接触して自律的に前進を促すことを特徴とする小動物用運動器具。
【請求項２】
コの字状に一端を開口し他端を閉塞する板枠組に、対象小動物を同開口側へ前向きにのみ収容可能とし、小動物に装着した首輪に連結した曳き綱を同枠組の閉塞側に繋留してなるものにおいて、板枠組の開口側より閉塞側への底辺を橇状に形成し、接地面との摩擦係数が小さく、耐摩耗性であって、軽量な部材により構成してなる小動物用運動器具。
【請求項３】
コの字状に一端を開口し他端を閉塞する板枠組に、対象小動物を同開口側へ前向きにのみ収容可能とし、小動物に装着した首輪に連結した曳き綱を同枠組の閉塞側に繋留してなるものにおいて、板枠組の開口側より閉塞側への底辺の両側前後にキャスターを配設してなる小動物用運動器具。
【請求項４】
長尺部材を平滑な大径の閉曲線状に形成してなるリングを、床面又は地面に布置し、該リング内位を行動範囲としてなる請求項１、請求項２、請求項３ないし請求項４記載の小動物用運動器具。
【考案の詳細な説明】
【技術分野】
【０００１】  本考案は、小動物の運動を補足するための運動用器具に関する。
【技術背景】
【０００２】  小動物用の運動用具（又は、トレーニングマシン）として、駆動可能な支柱周りに回転する支腕の自由端に弾性材で囮体を吊して、回転方向及び速度を操作することにより、小動物の走行・跳躍運動を促すもの（例えば、特許文献１参照。）があり、ハムスターなどのラット類やリスなど小動物用の運動用具として、ドラム形ケ−ジの、所謂、回し車を具備するもの（例えば、特許文献２及び特許文献３参照。）がある。  また、トレッドミル方式のものとして、モルモット、ラット等に適用する薬事効果試験用のユニット（例えば、特許文献４参照。）がある。
【０００３】  特許文献１のものは、上記のように小動物用を回動操作可能とする囮体により、間接的に誘導して走行・跳躍運動を促す方式としており、特許文献２及び特許文献３のものは、古来の、所謂、回し車を改良して、前者は、回転音を抑止し、後者は、ドラム形ケージの回し車内に小動物を飼育管理可能とする飼育装置を構成し、また、特許文献４は、小動物収容ケ−ス下位のベルト部ケース内に小型トレッドミルを内装してなる小動物個体用のユニット複数個を、並列して各トレッドミルの主動側ローラーを連結し、駆動用モーターにより同時駆動し、タイマー及び速度制御可能とし、ベルト後方部に電気刺激装置を付設している。
【０００４】
【特許文献１】  実用新案登録第３０６８５１７号
【特許文献２】  特開２００４−２０８５５７
【特許文献３】  特開２００５−２３７２８６
【特許文献４】  実開平７−７４１９
【考案の開示】
【考案が解決しようとする課題】
【０００５】  以上に述べた従来の小動物用の運動用器具類は、ハムスターなどのラット類、リス及びモルモットなど小動物用の運動用具として、回動可能な囮体により小動物を間接的に挑発・誘導する装置、ドラム形ケ−ジの、所謂、回し車を具備するもの又は小型トレッドミルであるが、何れも、ハムスターなどのラット類、リス及びモルモットなど小動物用の運動用具であって、猫に適用した例外もあるが、通常のペットとしての犬・猫類の運動用としては適用し難い。【０００６】  本考案は、このような従来の技術の問題点に鑑みてなされたものであり、その目的とするところは、コの字形に開口する板枠組内に、対象とする小動物を、開口側前向きに収容し、首輪と引き綱とにより繋留して同枠組を自律的に開口側へ牽引し、前進可能とする小動物用運動器具を提供し、小動物の自律的前進運動により運動不足やストレスを解消して健康増進を図ることとしている。
【課題を解決するための手段】
【０００７】  上記目的を達成するために、本考案の小動物用運動器具においては、コの字状に開口する板枠組に、対象小動物を開口側前向きにのみ収容可能とし、小動物に装着した首輪に連結した曳き綱を同枠組の閉塞側に繋留してなり、床面及び地面上において、同枠組内に繋留した小動物が、側方への逸脱を阻止されており、開口側へ脱出を試行すると、首輪のり曳き綱により同枠組を牽引して前進し、小動物が同枠組の閉塞側へ後退すると、垂下する曳き綱及び閉塞部が小動物の背後に接触して自律的に前進を促すこととしている。【０００８】  上記構成のものにおいて、板枠組の開口側より閉塞側への底辺を橇状に形成し、接地面との摩擦係数が小さく、耐摩耗性であって、軽量な部材により構成してもよい。【０００９】  そして、上記、板枠組の開口側より閉塞側への底辺の両側前後にキャスターを配設して板枠組の開口側より閉塞側への底辺の両側前後にキャスターを配設して、板枠組の移動抵抗を低減してもよい。【００１０】  また、角形、丸形及び形鋼状断面の長尺部材を平滑な大径の閉曲線状に形成したリングを、床面又は地面に布置し、リング内位に収容して移動する上記構成のものの行動範囲を限定してなり、板枠組内に繋留した対象小動物により同枠組を牽引して移動するとき、同枠組がリングに接触しない限りリング内を自由に移動し、同枠組及びキャスター部がリングに接触すると、リング外囲への逸脱を阻止し、リング内周に沿って円滑に移動可能としている。
【考案の効果】
【００１１】  本考案の小動物用運動器具は、コの字状に開口する板枠組の開口側へ前向きに収容した対象小動物が、側方への脱出を阻止されており、同開口側への脱出を試行すると、首輪の曳き綱により同枠組を牽引して前進し、小動物が同枠組の閉塞側へ後退すると、垂下する曳き綱及び同閉塞部が小動物の背後部に接触して自律的に前進を促すことができる。従って、小動物を前進側へ誘導するための予備訓練を要しない。【００１２】  上記板枠組は、開口側より閉塞側への底辺を橇形とし、接地面との摩擦係数が小さく、耐摩耗性であって、軽量な部材により構成し、小動物が自律的に同枠組を牽引するとき、牽引抵抗を低減することができる。【００１３】  また、上記板枠組の開口側より閉塞側への底辺の両側前後にキャスターを配設したものは、同枠組が移動するとき、キャスターの転がり抵抗が小さいため、上記、橇形の板枠組より、更に同牽引抵抗を低減して円滑に前進することができる。【００１４】  上記構成のものを、平滑な大径の閉曲線状に形成して床面又は地面の区画に布置したリングの内位に収容して行動範囲を限定し、小動物により板枠組を牽引して移動するとき、同枠組がリングに接触しない限りリング内を自由に移動し、同枠組及びキャスター部がリングに接触すると、リング外囲への逸脱を阻止し、リング内周に沿って円滑に移動することができる。【００１５】  本考案の小動物用運動器具は、上述のように、極めて簡易、且つ安価な構成であって、上記のリング内において使用し、リングは、随時、任意の場所に、任意の広さの区画において、容易に布置し、撤去することが可能で、維持管理の手間を要せず、小動物の自律的運動用具として、運動不足やストレスを解消して健康増進に資することができる。
【考案を実施するための最良の形態】
【００１６】  考案の実施の形態を実施例にもとづき図面を参照して説明する。
【実施例１】
【００１７】  図１ないし図３において、対象小動物ｄｇ（図中犬類を例示した）の肢体幅を収容可能とする間隔に設定し、体長より長い両側長辺をコの字状に開口して設定した板枠組１において、小動物を開口側へ前向きに収容し、小動物に装着した首輪２と同枠組の閉塞側との間に繋留用の曳き綱３を連結し、床面及び地面上において同開口側へ移動可能としてなり、同枠内に繋留した対象小動物は、側方への逸脱を阻止されており、同開口側への脱出を試行すると、首輪２の曳き綱３により、同枠組を牽引して前進し、小動物が同枠組の閉塞側へ後退すると、垂下する曳き綱３と閉塞部とが小動物の背後部に接触して自律的に前進動作を促すこととしている。  そして、曳き綱３は、首輪２より同枠組の閉塞側両側面へ分岐して繋留し、小動物ｄｇによる牽引力の分力を該両側面へ均等に分配して、同枠組の片側への偏向を防止して前進することとしている。    なお、首輪２の代わりにハーネス（通称、胴輪）を適用してもよい。
【実施例２】
【００１８】  上記の板枠組１の開口側より閉塞側への底辺の縁部を、橇形に形成し、接地面との摩擦係数が小さく、耐摩耗性であって、軽量な部材により構成して、小動物ｄｇが同枠組を牽引するとき、牽引抵抗を低減可能としている。
【実施例３】
【００１９】  また、図４に示すように、上記板枠組１の開口側より閉塞側への底辺部の両側前後にキャスター４を配設するものは、小動物ｄｇにより牽引するとき、キャスター４の転がり抵抗が小さいため、上記橇形の板枠組より、更に牽引抵抗を低減を低減して平滑に前進移動可能としている。  また、図４及び図５に示すように、首輪２と曳き綱３との間を伸縮ベルト３ａにより連結し、小動物ｄｇの体格に合わせて同ベルトを伸縮調節し、曳き綱３は、伸縮ベルト３ａより同枠組の閉塞側両側面へ分岐して繋留し、小動物ｄｇによる牽引力の分力を該両側面へ均等に分配して、同枠組の片側への偏向を防止することとしている。
【実施例４】
【００２０】  そして、角形、丸形及び形鋼状断面の長尺部材を適用して平滑な大径の閉曲線状に形成し、床面及び地面上に布置してなるリング５の内位において、実施例１〜３の構成のものを収容して行動範囲を限定し、小動物ｄｇにより牽引する板枠組１がリングに接触しない限リング内を自由に移動し、同枠組及びキャスター部がリングに接触すると、リングよりの逸脱を防止し、リング内周に沿って円滑に移動可能としている。【００２１】  図１に示すリング５の平面形状は、円及び楕円形であり、図４のリング５は、直線部分を含む長円形であって、何れも、随時、床面及び地面上の限られた区画内に布置し、用済み後に撤去して壁面などに立てかけて収納可能としている。
【図面の簡単な説明】
【００２２】
【図１】本考案の小動物用運動器具の使用状態を示す斜視図である。（実施例１、２及び４）
【図２】図１の小動物の前進位の状態を示す側面の立面図である。（実施例１）
【図３】図２の小動物の後退位の状態を示す側面の立面図である。（実施例１）
【図４】本考案他の実施例の使用状態を示す斜視図である。（実施例３及び４）
【図５】首輪、伸縮ベルト及び曳き綱要部の詳細斜視図である。。
【符号の説明】
【００２３】１    板枠組
２    首輪
３    曳き綱
３ａ  伸縮ベルト
４    キャスター
５    リング
ｄｇ  小動物（犬類など）
【図１】
0003132737.tif 000003
【図２】
0003132737.tif 000004
【図３】
0003132737.tif 000005
【図４】
0003132737.tif 000006
【図５】
0003132737.tif 000007